(57)【要約】【課題】一回の操作で、呼出動作や通話の態様に関する複数項目をシルバー向けの値に設定変更できるインターホンシステムを提供する。【解決手段】住戸インターホン１１は、ドアホン子器１１aとの呼出、通話に関する複数の設定項目について、工場出荷時の設定値の組合せと、シルバー向けの設定値の組合せとを記憶させた設定値記憶部１１ｅと、前記複数の設定項目に、前記シルバー向けの設定値の組合せを、ワンタッチで切り替え設定する操作部１１ｄとを備えたことを特徴とする。【選択図】図１
2012182544.tif 000002
【特許請求の範囲】
【請求項１】
モニタ画面を備えた住戸インターホンと、ドアホン子器とを接続して構成したインターホンシステムにおいて、
上記住戸インターホンは、ドアホン子器との呼出、通話に関する複数の設定項目について、工場出荷時の設定値の組合せと、シルバー向けの設定値の組合せとを記憶させた設定値記憶部と、前記複数の設定項目に、前記シルバー向けの設定値の組合せを、ワンタッチで切り替え設定する操作部とを備えたことを特徴とするインターホンシステム。
【請求項２】
共同玄関などに設置されたロビーインターホンと、各住戸に設置され、ドアホン子器が接続され、モニタ画面を備えた住戸インターホンとを少なくとも組み合わせて構成した集合住宅インターホンシステムにおいて、
上記住戸インターホンは、ドアホン子器との呼出、通話に関する複数の設定項目について、工場出荷時の設定値の組合せと、シルバー向けの設定値の組合せとを記憶させた設定値記憶部と、前記複数の設定項目に、前記シルバー向けの設定値の組合せを、ワンタッチで切り替え設定する操作部とを備えたことを特徴とするインターホンシステム。
【請求項３】
請求項１または２において、
上記複数の設定項目は、上記呼出報知音の音量、呼出時限、上記モニタ画面の表示文字フォントのサイズ、通話時の話速のうち少なくとも２項目を含んでいることを特徴とするインターホンシステム。
【発明の詳細な説明】
【技術分野】
【０００１】
本発明は、シルバー向けに呼出動作や通話態様等の設定変更を行う機能を有したインターホンシステムに関する。
【背景技術】
【０００２】
従来より、インターホンシステムは、呼出動作や通話態様等の複数項目の設定変更を行えるようになっている。例えば、特許文献１の例が挙げられる。
【先行技術文献】
【特許文献】
【０００３】
【特許文献１】特開2010-258749号公報
【発明の概要】
【発明が解決しようとする課題】
【０００４】
しかしながら、上記従来のシステムでは、一回の操作ですべての項目の設定変更ができず、項目ごとに一つ一つ設定変更を行う必要があるため、操作面で不便であった。例えば、高齢者は耳が遠かったり、目が悪かったりするため、通常の呼出音量や話速、あるいはモニタ画面表示などの態様では、呼出を正確に感知できない場合が考えられる。この場合、高齢者用に値の設定変更を行う必要がある。この設定変更の操作は、一般の住戸人のみならず、とりわけ電子機器の取り扱いに不慣れな高齢者などにとっては面倒な作業となっており、せっかくの機能があっても十分な状態で使用するまでには至っていないのが現状である。
【０００５】
そこで、本発明は上記実情に鑑みてなされたものであり、一回の操作で、呼出動作や通話の態様に関する複数項目をシルバー向けの値に設定変更できるインターホンシステムを提供することを目的とする。なお、シルバーとは、高齢者のみならず、身障者を含む。
【課題を解決するための手段】
【０００６】
本発明に係るインターホンシステムは、戸建用として、モニタ画面を備えた住戸インターホンと、ドアホン子器とを接続して構成したインターホンシステムにおいて、上記住戸インターホンは、ドアホン子器との呼出、通話に関する複数の設定項目について、工場出荷時の設定値の組合せと、シルバー向けの設定値の組合せとを記憶させた設定値記憶部と、前記複数の設定項目に、前記シルバー向けの設定値の組合せを、ワンタッチで切り替え設定する操作部とを備えたことを特徴とする。
【０００７】
また、集合住宅用として、共同玄関などに設置されたロビーインターホンと、各住戸に設置され、ドアホン子器が接続され、モニタ画面を備えた住戸インターホンとを少なくとも組み合わせて構成した集合住宅インターホンシステムにおいて、上記住戸インターホンは、ドアホン子器との呼出、通話に関する複数の設定項目について、工場出荷時の設定値の組合せと、シルバー向けの設定値の組合せとを記憶させた設定値記憶部と、前記複数の設定項目に、前記シルバー向けの設定値の組合せを、ワンタッチで切り替え設定する操作部とを備えたことを特徴とする。
【０００８】
さらに、上記複数の設定項目は、上記呼出報知音の音量、呼出時限、上記モニタ画面の表示文字フォントのサイズ、通話時の話速のうちから少なくとも２項目を含んでいるものとしてもよい。
【発明の効果】
【０００９】
本発明に係るインターホンシステムによれば、一回の操作で、呼出動作や通話の態様に関する複数項目をシルバー向けの値に設定変更できる。
【図面の簡単な説明】
【００１０】
【図１】本発明に係るインターホンシステム（戸建用）のブロック図である。
【図２】住戸インターホンの外観の一例である。
【図３】設定変更時の基本動作のフロー図である。
【図４】（ａ）通常モード時における、モニタ画面上の表示文字フォントの一例である。（ｂ）シルバーモード時における、モニタ画面上の表示文字フォントの一例である。
【図５】シルバーモードのユーザー選択項目を示すモニタ画面の一例である。
【図６】インターホンシステム（集合住宅用）のブロック図である。
【発明を実施するための形態】
【００１１】
インターホンシステム１は、戸建用のものでは、図１に示すように、住戸インターホン１１とドアホン子器１１ａとが接続されて構成されている。住戸インターホン１１は、呼出動作や通話態様を制御する制御部１１ｃと、これら呼出動作や通話態様に関する複数項目をシルバー向けに一括設定変更できる操作部１１ｄとを備えている。また、これら複数項目の設定値を記憶する設定値記憶部１１ｅを備えている。設定値記憶部１１ｅは、工場出荷時の設定値の組合せを記憶する設定値記憶部１１ｅａと、シルバー向けの設定値の組合せを記憶する設定値記憶部１１ｅｂとを有する。
【００１２】
制御部１１ｃは、ドアホン子器１１ａからの呼出に応答して、呼出報知音の鳴動、モニタ画面１１ｂへの呼出表示を実行するとともに、インターホン回線１４を通じてドアホン子器１１ａとの通話を実行し、制御する機能を有する。操作部１１ｄは、制御部１１ｃの呼出動作および通話実行時における複数の設定項目をシルバー向けに一括設定変更できる機能を有する。これら複数の設定項目における、工場出荷時に設定された値は設定値記憶部１１ｅａに記憶され、シルバー向けに変更設定した値は設定値記憶部１１ｅｂに記憶される。
【００１３】
住戸インターホン１１は、図２に示すように、シルバー用の一括設定（以下では「シルバー設定」という）を実行するシルバーボタン１１ｈおよびシルバーランプ１１ｉを備えている。操作部１１ｄはシルバーボタン１１ｈを有し、図２では通話キー１１ｋの右上に大きなボタンが設けられ、「シルバー」と表記されている。
【００１４】
１１ｇは、上記シルバー設定のための登録（設定変更の対象項目における設定値の登録）や、個別の設定項目の設定を行うための操作ボタン（モニター画面１１ｂ上では「設定」と表記される）である。住戸インターホン１１には、モニタ画面１１ｂ、メッセージランプ１１ｊ、通話キー１１ｋ、通話部を形成するスピーカ１１ｌ、マイク１１ｆが備えられている。
【００１５】
モニタ画面１１ｂはタッチパネルで構成されている。また、インターホンとしては、モニタ画面１１ｂのない通話タイプのものや、通話キー１１ｋのないハンドセットタイプのものであってもよい。
【００１６】
次に、インターホンシステムの基本動作を説明する。ドアホン子器１１ａを操作して呼び出すと、制御部１１ｃがこれを検知し、鳴動音がスピーカ１１ｌから出力される。
同時に、モニタ画面１１ｂには呼出が表示される。これに対して通話キー１１ｋを押せば、インターホン回線１４を通じてドアホン子器１１ａと住戸インターホン１１とが接続されて、ドアホン子器１１ａとの通話は、スピーカ１１ｌおよびマイク１１ｆを通じてなされる。
【００１７】
次に、シルバー設定の動作フローの一例について説明する。図３の１００〜１１３は、インターホンの設定操作と、それに対する制御動作を示している。
【００１８】
シルバーボタン１１ｈを押すことで、呼出動作や通話態様に関する複数項目の設定値を、事前に登録されたシルバー用設定値に置き換えてシルバー設定がなされ、シルバーランプ１１ｉが点灯する（ステップ１００→１０２，１０３）。図３の１０２には、表示フォントサイズ、鳴動音量、話速変換、呼出時限についてシルバー設定される例を示している。
【００１９】
シルバーボタン１１ｈを再度押すことでシルバー設定が解除され、通常の設定状態に戻すことができ、解除されるとシルバーランプ１１ｉは消灯する（ステップ１００，１０１，→１０４，１０５）。シルバー設定内容は設定値記憶部１１ｅｂに記憶されているため、シルバー設定のオンオフの切り替えが可能となる。
【００２０】
また、この実施例に示すように、表示フォントサイズ、鳴動音量、話速変換、呼出時限の各項目を項目ごとに個別に設定変更することも可能である（ステップ１００，１０１，→１０６〜１１３）。
【００２１】
ここに、鳴動の呼出時限とは、呼出音の鳴動の開始後、インターホン回線１４の接続状態が維持されている時間を意味しており、動作の遅い高齢者などが応答する時間を予め想定して設定される。
【００２２】
なお、シルバーボタン１１ｈは、設定項目をシルバー向けの設定値の組合せに一括に変更できるものであるが、同様に一括で変更できるリセットボタン（不図示）とは、機能、用途面で全く異なるものである。リセットボタンは、工場出荷時に設定された一般向けの設定初期値に戻す機能を有する。出荷後、シルバー設定等の設定変更がなされるが、リセットボタンの操作で、１１ｅａを用いて工場出荷時の設定初期値に戻すことができる。
【００２３】
このようなインターホンシステムによれば、通常の生活様態においては、事前に個別に設定登録を行った設定内容で使用し（通常モード）、高齢者などが使用する場合には、シルバーボタン１１ｈを押してシルバーモードに一括設定変更を行うことができる。
【００２４】
具体的には、例えば、高齢者だけが部屋にいる状況になったときに、シルバーボタン１１ｈを押してシルバーモードにし、高齢者以外の者が部屋にいて、シルバーモードの必要がなくなった際には、シルバーボタン１１ｈを再度押して通常モードに戻すことができる。
【００２５】
シルバーボタン１１ｈを操作するだけで、個別に設定変更することなく、シルバー設定のオンオフ切り替えを行うことができるため、高齢者など、電子機器の取り扱いに不慣れな住戸人のみならず、一般の住戸人にとってもシルバー向けの設定操作が簡易となる。
【００２６】
図４（ａ）、図４（ｂ）は、表示文字フォントのサイズの表示例を示している。表示文字として「呼び出しあり」の例を示してあるが、前述したシルバー設定を実行することにより、（ａ）に示されるサイズから、（ｂ）に示される大きいサイズに変更される。
【００２７】
なお、シルバー設定による設定変更の様態は、図に示すような表示文字フォントサイズの変更に限定されることはなく、鳴動音量の変更などであってもよい。例えば、鳴動音量であれば、「大」、「中」、「小」に、話速変換であれば、「遅く」、「中程度に」、「早く」に、呼出時限であれば、「長く」、「中程度に」、「短く」に設定変更することが考えられる。
【００２８】
次に、シルバー設定の設定値について説明する。シルバー設定項目や設定値は、予め工場出荷時から住戸インターホン１１の設定値記憶部１１ｅｂに登録されている（デフォルト設定タイプ）。例えば、一般の高齢者を対象として、表示フォントサイズ、鳴動音量、話速変換、呼出時限が、それぞれ「大」、「大」、「遅く」、「長く」に設定されていればよい。
【００２９】
また、ユーザー側が希望する値に設定変更できるようにしてもよい（ユーザー設定タイプ）。図５は、ユーザー設定タイプの登録時におけるモニタ画面１１ｂ上の操作例を示している。まず、設定登録画面を選択してモニタ画面１１ｂ上に表示させる。その画面上で、シルバー設定の対象項目を選択し、さらに各項目における設定値を選択することで、設定変更がなされ、設定値記憶部１１ｅｂに記憶される。
【００３０】
図５には、表示フォントサイズ、鳴動音量、話速変換および呼出時限の４項目が設定登録の対象として選択された例が示され、表示フォントサイズ、鳴動音量、話速変換および呼出時限の値が、それぞれ、「大」、「大」、「中」、「長」の値に設定登録されている。
【００３１】
本発明のインターホンシステムでは、インターホン本体１１のシルバーボタン１１ｈを操作するだけで、設定記憶部１１ｅｂに記憶された設定値によるシルバー設定の実行と、その解除とを行うことができる。すなわち、シルバーボタン１１ｈの一回の操作のみで、表示フォントサイズ、鳴動音量、話速変換、呼出時限といった複数の設定項目の値を一括して設定変更することができるため、簡易にシルバー向け設定に切り替えられる。
【００３２】
さらに、シルバー設定においては、一括設定変更の対象として、表示フォントサイズ、鳴動音量、話速変換、呼出時限のうち、少なくとも２項目を含んでいる。
【００３３】
インターホンシステムがテレビ式ではなく通話タイプのものでは表示文字フォントのサイズが除かれてもよく、インターホンシステムが戸建用タイプである場合には、呼出時限の設定が除かれてもよい。
【００３４】
図６は集合住宅インターホンシステム１６を示している。共同玄関などに設置されたロビーインターホン１５と、住戸インターホン１１とが接続された集合住宅インターホンシステム１６においても、同様のシルバー設定の機能を備えることができる。
【００３５】
住戸インターホン１１は、戸建用システムと同様に、ドアホン子器１１ａが接続されており、呼出動作や通話態様を制御する制御部１１ｃと、これら呼出動作や通話態様に関する複数項目をシルバー向けに一括設定変更できる操作部１１ｄを備えている。また、これら複数項目の設定値を記憶する設定値記憶部１１ｅを備えている。設定値記憶部１１ｅは、工場出荷時の設定値の組合せを記憶する設定値記憶部１１ｅａと、シルバー向けの設定値の組合せを記憶する設定値記憶部１１ｅｂとを有する。
【００３６】
制御部１１ｃは、ロビーインターホン１５やドアホン子器１１ａからの呼出に応答して、呼出報知音の鳴動、モニタ画面１１ｂへの呼出表示を実行するとともに、インターホン回線１４を通じてドアホン子器１１ａとの通話を実行し、制御する機能を有する。操作部１１ｄは、制御部１１ｃの呼出動作および通話実行時における複数の設定項目をシルバー向けに一括設定変更できる機能を有する。これら複数の設定項目における、工場出荷時に設定された値は設定値記憶部１１ｅａに記憶され、シルバー向けに変更設定した値は設定値記憶部１１ｅｂに記憶される。
【００３７】
また、ロビーインターホン１５は、呼出先の部屋番号を指定するための操作部や、通話部を構成するスピーカ、マイクなどを備えていてもよい。さらに、住戸インターホン１１は、管理人室機（警報監視盤）を備えていてもよく、管理人室機（警報監視盤）は選択した住戸インターホン１１あるいはロビーインターホン１５との通話ができ、また住戸インターホン１１から発信された異常発生信号を受け付けて所定の対応処理ができるものとしてもよい。この場合、制御装置（不図示）によって、住戸インターホン１１と、ロビーインターホン１５と、管理人室機とが接続される構成をとることができる。
【００３８】
次に、インターホンシステムにおける呼出、通信制御の基本機能、動作を説明すると、ロビーインターホン１５で住戸番号を指定した呼出操作がなされると、制御装置によって、指定された住戸の住戸インターホン１１が呼び出される。呼び出された住戸インターホン１１で通話キー１１ｋが操作されると、制御装置は、ロビーインターホン１５とその住戸インターホン１１との間に排他的な通話チャンネルを構成して、訪問者と住戸人との通話を許可する。その後、通話キー１１ｋが再操作されたとき、あるいは所定時間が経過したときに、その通話チャンネルは開放される。なお、ロビーインターホン１５は複数であってもよく、その場合でも、通話チャンネルは排他的に制御される。
【００３９】
なお、インターホンシステムがテレビ式であれば、ロビーインターホン１５で呼出操作がなされてから通話チャンネルが解放されるまでの間、ロビーインターホン１５側に設けられたビデオカメラ１５ａと、呼出先の住戸インターホン１１との間に排他的な映像チャンネルを構成する。このようにすれば、訪問者の映像を住戸インターホン１１でモニタしながら対応できる。
【００４０】
また、いわゆる生活情報、例えば住戸人を対象とした掲示板や住棟内あるいはその近隣にある商店などからの連絡、通知事項を住戸インターホン１１から通知することができるような構成になっていてもよい。ここで、当該生活情報などの情報がモニタ画面１１ｂ上に表示された際には、その表示内容におけるフォントなどについても、本発明に係るシルバー設定の変更対象とすることができる。
【００４１】
なお、集合住宅の場合は、インターホン回線１４の占有時間を制限するため、呼出時限の上限を設けることが望ましい。
【符号の説明】
【００４２】
１        インターホンシステム
１１      住戸インターホン
１１a     ドアホン子器
１１ｂ    モニタ画面
１１ｃ    制御部
１１ｄ    操作部
１１ｅ    設定値記憶部
１１ｅａ  工場出荷時の設定値の組合せを記憶する設定値記憶部
１１ｅｂ  シルバー向けの設定値の組合せを記憶する設定値記憶部
１４      インターホン回線
１５      ロビーインターホン
１６      集合住宅インターホンシステム
【図１】
2012182544.tif 000003
【図２】
2012182544.tif 000004
【図３】
2012182544.tif 000005
【図４】
2012182544.tif 000006
【図５】
2012182544.tif 000007
【図６】
2012182544.tif 000008